(57)【要約】      （修正有）【課題】医師から口頭指示を受けた看護士が文書に記入する際、時間的に遅れて記入する場合でも情報の漏れや誤認を回避できる口頭指示記録支援システムを提供する。【解決手段】口頭指示記録支援システム１０は、看護師携帯ボイスレコーダ２０と、該レコーダ２０の音声データを蓄積する看護師用端末１６を用いる。看護師が携帯する電子ペン２２と記録紙とを組み合わせて用いることで、電子ペンおよび記録紙のＩＤが検出される。看護師が電子ペン２２で記録紙に医師からの口頭指示を記入する際、電子ペン２２から端末１６に記録紙ＩＤが入力される。端末１６はそのＩＤで識別される患者に関する口頭指示の音声データを音声として再生する。電子ペン２２は記録紙上の位置も特定できるので、端末は電子ペンからの位置データによって該当する変更項目を知ることができ、記入しようとする変更項目の口頭指示が自動的に再生される。【選択図】図１
2005284896.tif 000002
【特許請求の範囲】
【請求項１】
医師の口頭指示を録音するボイスレコーダ、および患者情報とリンクして前記口頭指示の音声データを蓄積する蓄積手段を備え、
看護師が前記口頭指示を文書に記録するとき、前記患者情報を利用して前記蓄積手段から該当の患者に関する口頭指示の音声データを音声として再生するようにした、口頭指示記録支援システム。
【請求項２】
看護師が前記口頭指示を文書に記録するとき患者を識別する識別情報に基づいて前記蓄積手段から該当の患者に関する口頭指示の音声データを再生する、請求項１記載の口頭指示記録支援システム。
【請求項３】
カメラを有する電子ペンと、前記電子ペンの前記カメラによって撮影されるパターンを有する記録紙とを含み、前記電子ペンは前記カメラの画像信号を処理することによって前記記録紙の識別情報を検出でき、
前記記録紙の識別情報と前記患者情報とをリンクさせて前記音声データを前記蓄積手段に蓄積しておき、
前記記録紙識別情報に基づいて前記音声データをサーチして再生する、請求項１または２記載の口頭指示支援システム。
【発明の詳細な説明】
【技術分野】
【０００１】
この発明は口頭指示記録支援システムに関し、特にたとえば、病院内において、看護師が医師から口頭で受けた点滴や与薬または投薬の変更指示を文書に記録する際に、重要な情報の漏れや誤認を可及的防止する、新規な口頭指示記録支援システムに関する。
【背景技術】
【０００２】
たとえば、特許文献１では、看護記録を正確にして患者に対して医師の指示通りの処置を的確に行えるようにする医療用記録紙が提案されている。この特許文献１の医療用記録紙は、医療用品等のパッケージに貼り付ける用紙にその医療用品等の処置の指示をする処置指示欄や看護記録欄を印刷しておき、その用紙をはがして集め、整理、綴ることによって、看護記録帳を作るものである。
【０００３】
また、特許文献２には、医療業務管理装置が提案されている。この医療業務管理装置では、医師から指示される診療行為を誤りなく入力できるようにするために各看護師が移動可能な入力端末を携帯し、この入力端末によって診療に関わる診療行為を入力し、その診療行為データを受信装置からホストコンピュータに転送する。
【０００４】
さらには、特許文献３には、画像・音声による電子カルテ入力システムが提案されている。この電子カルテ入力システムは、医師が患者を診断する診療室に診断内容を画像と音声とによって記録できるサーバを置き、その診療室とは離れた場所にクライアントシステムを置き、クライアントシステムでは、サーバから送られる画像と音声とを再生してキーボード等によって別の人間がカルテを作成する入力代行システムである。
【特許文献１】特開平６−３２７７２９号公報［A61G 12/00  A61B 19/00］
【特許文献２】特開平８−１０６５００号公報［G06F 17/60 19/00］
【特許文献３】特開平２００３−６３３５号公報［G06F 17/60］
【発明の開示】
【発明が解決しようとする課題】
【０００５】
上記した従来技術のいずれも医療過誤をできるだけなくする意図で提案されたものであるが、それぞれ次のような問題がある。
【０００６】
特許文献１の従来技術では、記録紙の形式が工夫されたとはいえ、医師からの口頭指示を確認する手段はなく、口頭指示を記帳するときの記帳ミスを防止できるものではない。
【０００７】
特許文献２のものでも同様に、入力端末に看護師が入力する際に医師からの口頭指示を確認する手段がなく、誤入力や誤記入の可能性を残すものである。
【０００８】
特許文献３のシステムは、システムが大掛かりな上、入力代行する別の人間と患者を看護する看護師とが直接連携していないので、医師からの口頭指示を看護師自身が文書に記録するものではない。
【０００９】
それゆえに、この発明の主たる目的は、看護師自身が文書を記録でき、しかも医師による口頭指示を漏れなくまた誤りなく記録できる、新規な口頭指示記録支援システムを提供することである。
【課題を解決するための手段】
【００１０】
請求項１の発明は、医師の口頭指示を録音するボイスレコーダ、および患者情報とリンクして口頭指示の音声データを蓄積する蓄積手段を備え、看護師が口頭指示を文書に記録するとき、患者情報を利用して蓄積手段から該当の患者に関する口頭指示の音声データを音声として再生するようにした、口頭指示記録支援システムである。
【００１１】
請求項１の発明では、たとえば看護師の端末のようなコンピュータ（１６：実施例で相当する部分を示す参照符号。以下同様。）が、蓄積手段として、ボイスレコーダ（２０）で録音した医師からの口頭指示の音声データを蓄積する。このとき、その音声データは患者情報とリンクして記憶させる。そして、看護師が口頭指示をたとえば看護師用記録紙（２８）に記録しようとするとき、コンピュータ（１６）は音声データによってその口頭指示を音声として再生する。したがって、看護師が口頭指示を文書に記録する際に、情報が欠落したり、情報誤認したりすることがなくなる。
【００１２】
請求項２の発明は、看護師が口頭指示を文書に記録するとき患者を識別する識別情報に基づいて蓄積手段から該当の患者に関する口頭指示の音声データを再生する、請求項１記載の口頭指示記録支援システムである。
【００１３】
請求項２の発明では、患者の識別情報に従って蓄積手段に口頭指示の音声データを蓄積し、その患者識別情報に従って音声データを再生する。
【００１４】
請求項３の発明は、カメラを有する電子ペンと、電子ペンのカメラによって撮影されるパターンを有する記録紙とを含み、電子ペンはカメラの画像信号を処理することによって記録紙の識別情報を検出でき、記録紙の識別情報と患者情報とをリンクさせて音声データを蓄積手段に蓄積しておき、記録紙識別情報に基づいて音声データをサーチして再生する、請求項１または２記載の口頭指示支援システムである。
【００１５】
請求項３の発明では、具体的には、いずれも商品名である、アノトペンとアノトペーパとの組み合わせを用いる。したがって、電子ペンすなわちアノトペンが自動的に記録紙ＩＤ（識別情報）を識別できるので、このＩＤに基づいて、音声データをサーチすることができる。
【発明の効果】
【００１６】
この発明によれば、看護師が医師の口頭指示を文書に記録するときに、その口頭指示を音声として再生できるので、口頭指示を受けてから文書記録までに時間がかかったとしても、口頭指示を誤認したり、重要な情報を漏らしたりする可能性がかなり大幅に減じられ得る。
【００１７】
この発明の上述の目的，その他の目的，特徴および利点は、図面を参照して行う以下の実施例の詳細な説明から一層明らかとなろう。
【発明を実施するための最良の形態】
【００１８】
図１を参照して、この発明の一実施例の口頭指示記録支援システム１０は、たとえば病院に適用され、サーバ１２を含む。このサーバ１２は、有線或いは無線による通信回線（ネットワーク）１４を介して複数の看護師用端末（以下、単に「端末」という。）１６および複数のステーション１８に接続される。端末１６は、パーソナルコンピュータ或いはワークステーションのようなコンピュータであり、看護師毎に割り当てられる。たとえば、端末１６は看護師の詰所などに設置される。ただし、１台の端末１６を数人の看護師で使用する場合もあり得る。
【００１９】
複数のステーション１８は、それぞれ、入院患者を収容する病棟内であり、廊下、病室（入り口、ベッド或いはその近傍）および看護師の詰所などの所定位置に配置され、たとえばBluetooth（商品名）のような無線通信手段によって、看護師が携帯するボイスレコーダ２０から音声データを受け取り、ネットワーク１４を介して、その音声データを該当の看護師の端末１６へ格納する。
【００２０】
ステーション１８はさらに、同じくBluetoothのような無線通信手段によって、看護師が携帯する電子ペン２２からの情報を受け、その情報をネットワーク１４を介してその看護師の端末16に入力する。
【００２１】
図２に示すように、看護師２４は、上述のボイスレコーダ２０および電子ペン２２を携行する他に、ボイスレコーダ２０に記録音声を入力するマイク２６を有する。このマイク２６としては医師の声と看護師自身の声とを拾う必要があるので指向性のないマイクを用いるが、看護師２４にヘッドセットを装着させ、そのヘッドセットのマイクで看護師の声を収集し、別の環境マイクで医師の声を収集するようにしてもよい。いずれの場合にも、マイクを通して、看護師および医師の声がともに、ボイスレコーダ２０にディジタル音声データとして記録される。そして、このボイスレコーダ２０に記録または録音された音声データが、上述のような無線通信手段を介して、看護師の自分の端末のメモリ（図示せず）にリアルタイムで格納される。
【００２２】
ただし、上述のようにリアルタイムで音声データを看護師の端末へ記憶させる方法とは別に、ボイスレコーダ２０としてたとえばＵＳＢ (Universal Serial Bus)メモリを接続可能なものを利用し、このＵＳＢメモリを看護師の端末に差込むことによって、音声データを端末に格納するようにしてもよい。
【００２３】
さらに、この実施例のシステムでは、電子ペン２２として、たとえばアノトペンのようなディジタルペンを用い、そのディジタルペンとの組み合わせで、アノトペーパを用いる。なお、アノトペンもアノトペーパもともにスウェーデンのアノト社が開発したもので、たとえばアノト日本株式会社が開設しているホームページ（http://www.anoto.co.jp/）で見ることができる。
【００２４】
簡単に説明すると、この実施例の電子ペン２２は、図３に示すような色々なコンポーネントを組み込んだものである。まず、電子ペン２２は、ペン型のハウジング２２０を含み、このハウジング２２０の先端にペン先２２１が設けられ、このペン先２２１にはハウジング２２０内に設けたインクカートリッジ２２２からインクの供給を受ける。したがって、このペン２２のハウジング２２０を把持してボールペンと同じように、インクで文字を書くことができる。
【００２５】
ハウジング２２０の先端にはまたレンズ系２２３が設けられ、レンズ系２２３の奥のハウジング２２０内には、このレンズ系２２３からの光像を受けるカメラ２２４が設けられる。カメラ２２４は、たとえば毎秒５０枚以上のスナップショットを撮影し、その画像データをイメージプロセサ２２５に送る。このイメージプロセサ２２５は、カメラ２２４からの画像データを処理することによって、ペンの軌跡などを瞬時に認識し、その画像処理信号をメモリ２２６に保存する。
【００２６】
ハウジング２２０内にはさらに無線通信ユニット２２７が設けられる。一例として、この通信ユニット２２７は、上述のBluetoothを利用する。この無線通信ユニット２２７で送信されるまで、メモリ２２６内の画像処理信号が保存される。なお、各コンポーネントに必要な電源を供給するためにバッテリ２２８もハウジング２２０内に設けられる。
【００２７】
このようなアノトペン２２とともに利用されるアノトペーパは、図４に示すように、アノトパターンと呼ばれる格子状に配置されたドットパターンを印刷したものである。このアノトパターンのドットの数はたとえば２の７２乗(２７２＝６６９，８４５，１５７，１１５，７７３,４５８，１６９)個であり、０．３ｍｍ間隔で直交する格子から上下左右のいずれかの方向へわずかにずれていて、上述のカメラ２２３によって、１度に６×６（＝３６）ドットが撮影される。したがって、ペン２２でこのペーパ上のどの位置に書いても、その位置が全パターンのどこに相当するかを正確に特定でき、ドットパターン上のペンの軌跡はすべて異なる位置情報として認識される。
【００２８】
このようなアノトペンおよびアノトペーパ、さらには両者を結びつけるペーパルックアップサービス（ＰＬＳ）を利用して、この実施例では、紙に書いた情報をペンに保存するとともに、そのペンと紙のＩＤがともに認識され、そのＩＤが無線通信ユニット２２７によって図１のステーション１８に送信される。つまり、実施例のようにアノトペンとアノトペーパとの組み合わせを用いれば、電子ペンのＩＤと、その電子ペンを用いて筆記しようとしている紙のＩＤとが容易に認識できる。
【００２９】
したがって、図５に示すような看護師用記録紙２８を上述のアノトペーパで作ると、ペン２２のＩＤすなわち看護師のＩＤとその記録紙２８の個々のＩＤとがわかる。したがって、ステーション１８は、看護師が電子ペン２２を用いて記録紙２８に記録しようとするときに、自動的にその電子ペンの所持者である看護師の端末が呼び出す。そして、看護師が患者名をその端末１６に登録したとき、適宜の払い出し機構（図示せず）から、その患者名と記録紙ＩＤとが対応付けられた記録紙２８が払い出される。したがって、看護師はこの記録紙に記録することになる。
【００３０】
そして、看護師用記録紙２８には、患者名欄３０と記入項目３２が必要に応じて設定されている。図５の例では、記入項目３２として、点滴、内服薬、外用薬、および食事が設定されている。記録紙２８がアノトペーバであるので、上で説明したように、ペーパ上のどの位置かが正確に判別でき、電子ペン２２によってどの項目に記入しようとしているかが即座に判別できる。
【００３１】
ただし、この看護師用記録紙２８は、端末１６によって払い出されたときに既に、それぞれの患者名欄３０には看護師が登録した患者名が既に記入されている。したがって、看護師は、患者名を端末に登録すれば、患者名欄３０に改めて患者名を記入する必要はなく、端末が払い出した記録紙２８が正しく該当の患者のものかどうかを確認することができる。
【００３２】
このようなシステム１０を利用して医師からの口頭指示を、看護師用記録紙２８に記入するためには、看護師は、まず自分のボイスレコーダ２０を操作して、図６に示すように、ボイスインメッセージたとえば「ＸＸ先生から患者ＹＹさんの点滴の変更指示を受けます。」を吹き込む。なお、この図６の例で「Ｎｓ」は看護師の音声データを示し、「Ｄｒ」が医師の音声データを示す。
【００３３】
看護師のこのボイスインメッセージに続く、医師の音声データには一例として点滴に関する変更指示が含まれる。
【００３４】
この医師による口頭指示が終わると、看護師は、図６に示すようにボイスアウトメッセージたとえば「患者ＹＹさんの点滴の変更指示を受けました。」を録音する。
【００３５】
ボイスイン操作が行われると、ボイスレコーダ２０から無線通信手段によって、ステーション１８に図６に示すような音声データが送信される。このとき、ボイスレコーダからは図６の音声データだけでなく、そのボイスレコーダに固有に割り当てられたレコーダＩＤをステーション１８に送信する。したがって、ステーション１８では、レコーダＩＤに基づいて該当の看護師用端末１６をサーチし、その端末にボイスレコーダ２０から送信される音声データを送る。したがって、看護師の所持するボイスレコーダ２０からの音声データが、その看護師の端末１６へ蓄積、記録される。したがって、看護師用端末では、音声認識を実行し、看護師がＸＸ医師から患者ＹＹ氏についてたとえば点滴の処方の変更について口頭指示があったことを識別する。ただし、点滴処方以外の他の変更項目でも動作は同じである。
【００３６】
看護師が上述の口頭指示を看護師用記録紙２８に記録しようとするとき、看護師は、まず、電子ペン２２の電源をオンする。ただし、電子ペン２２の電源のオフオンは、アノトペンの場合、キャップの嵌脱によって行われる。
【００３７】
そして、看護師が電子ペン２２を、端末１６から払い出された記録紙２８（図５）に近づけると、看護師用端末１６は、図７のステップＳ１で、その電子ペン２２からステーション１８およびネットワーク１４を通して入力される記録紙２８のＩＤを受信し、その記録紙ＩＤから患者名を特定する。つまり、個々の記録紙２８に固有のＩＤが付され、かつその記録紙ＩＤと患者ＩＤとがリンク付けされているので、端末１６は、記録紙ＩＤから患者名を知ることができる。つまり、記録紙ＩＤが患者情報または患者識別番号として機能する。この患者情報を利用して該当の患者に関する音声データをサーチできる。
【００３８】
患者名を認識した端末１６は、ついで、ステップＳ３において、蓄積されているその患者に関する口頭指示の音声データをサーチする。
【００３９】
そして、端末１６は、次のステップＳ５で電子ペン２２から送信されてくる、記録紙２８上の位置のデータを受信する。先に説明したように、実施例のアノトペンとアノトペーパとの組み合わせであれば、記録紙２８上の位置が正確に特定されるので、端末１６は、その位置データに基づいて、看護師が記録紙２８上のどの項目に変更指示を記入しようとしているか知ることができる。したがって、ステップＳ７で、その患者のその項目の医師からの口頭指示があるかどうか容易に判断することができる。
【００４０】
ステップＳ７での“ＮＯ”の場合には、そのまま終了するが、“ＹＥＳ”と判断すれば、次のステップＳ９において、看護師用端末１６は、メモリから音声データを読み出し、その音声データを音声として再生する。したがって、看護師は再生された音声による医師の指示を再確認でき、そのために、医師からの変更指示を看護師用記録紙に記入するときに、誤認や情報の脱漏が効果的に予防できる。
【００４１】
そして、ステップＳ１１で音声データが終了したかどうか判断し、“ＹＥＳ”なら、そのまま終了し、“ＮＯ”なら、ステップＳ９に戻って音声データの再生を繰り返す。
【００４２】
再生音声が自分の端末から出力されるのであるから、基本的に、看護師は、記録紙２８に口頭指示を記入する場合には、その端末の近傍で作業する必要がある。しかしながら、看護師がヘッドセットを持ち、そのヘッドセットにワイヤレス音声レシーバを組み込んでいる場合には、端末１６から再生した音声をワイアレスデそのレシーバに飛ばすことができるので、看護師は任意の場所で作業することができる。
【００４３】
さらに、上述の実施例では、看護師用端末１６に音声データを蓄積するようにした。しかしながら、音声データは、図１に示すステーシヨン１８からサーバ１２に蓄積し、看護師は記録時にそのサーバ１２にアクセスさせるようにすることも可能である。
【００４４】
また、上述の実施例では電子ペン２２としてアノトペンを用い、看護師用記録紙としてアノトペーパを用いたので、記録紙のＩＤやペンのＩＤが自動的に判別できた。もしアノトペンやアノトペーパを用いないのであれば、電子ペン２２に看護師識別手段を設ける必要がある。そのような識別手段としては、指紋認証装置やアクティブバッジなどの個体識別装置を用いればよい。
【００４５】
さらに、上述のアノトペーパを用いない場合には、記録紙２８のＩＤを自動的に検出することはできないので、１枚１枚に付された記録紙ＩＤ、たとえばバーコードなどを読み取る別途手段が必要であろう。
【００４６】
同様に、アノトペーパを用いない場合には、記録紙２８上の位置すなわち項目を端末１６側で自動的に判別することはできないので、端末は、上述の記録紙ＩＤを受信したとき、患者名を知り、その患者に関して登録されている音声データをサーチし、その端末画面に図８に示すような一覧表示をする。この一覧表示は、該当の患者に関して蓄積されている音声データの項目を表示するもので、看護師は、再生したい項目の四角マーク３４をクリックすることによって、所望の音声データを再生することができ。ただし、このように看護師の任意で音声データを再生したりしなかったりできるシステムは、口頭指示の記録支援としてはやや不適当かも知れない。なぜなら、看護師が音声データを再生しなかった場合には依然として情報の漏れや誤認を防止できないからである。
【００４７】
さらに、看護師が口頭指示を記録する文書として、看護師用記録紙２８に代えて電子カルテタブレットを利用する場合には、図９に示すように、タブレット画面３６に患者名や変更項目を表示するとともに、その画面３６の一部に音声データ再生領域３８を設け、その領域内の四角マーク４０をスタイラス（図示せず）でクリックさせるようにしてもよい。そして、再生された音声を聞きながら、同じタブレット画面３６上の変更項目をスタイラスで記入することによって、口頭指示を誤りなく電子カルテに記入することができる。
【図面の簡単な説明】
【００４８】
【図１】この発明の口頭指示記録支援システムの構成の一例を示す図解図である。
【図２】この実施例のシステムを利用する看護師の携帯品を示す図解図である。
【図３】この実施例で用いられる電子ペンの具体的構成を例示する図解図である。
【図４】図３の電子ペンと組み合わせて用いられるペーパの一例を示す図解図である。
【図５】実施例で用いられる看護師用記録紙の一例を示す図解図である。
【図６】実施例のボイスレコーダで録音した音声データの一例を示す図解図である。
【図７】実施例の看護師用端末の動作の一例を示すフロー図である。
【図８】音声データの提示態様の別の例を示す図解図である。
【図９】電子カルテタブレットを用いた場合のタブレット画面を例示する図解図である。
【符号の説明】
【００４９】
１０  …口頭指示記録支援システム
１２  …サーバ
１４  …ネットワーク
１６  …端末
１８  …ステーション
２０  …ボイスレコーダ
２２  …電子ペン
２６  …マイク
【図１】
2005284896.tif 000003
【図２】
2005284896.tif 000004
【図３】
2005284896.tif 000005
【図４】
2005284896.tif 000006
【図５】
2005284896.tif 000007
【図６】
2005284896.tif 000008
【図７】
2005284896.tif 000009
【図８】
2005284896.tif 000010
【図９】
2005284896.tif 000011